(57)【要約】無線通信網とＡ-ＧＰＳ方式を用いて移動通信端末機の位置を決定する際，ＩＳ（Ｉｎｔｅｒｉｍ  Ｓｔａｎｄａｒｄ）-８０１-１規格の各種パラメータを用いてＬＢＳ（Ｌｏｃａｔｉｏｎ Ｂａｓｅｄ  Ｓｅｒｖｉｃｅ）無線通信網の位置決定に関する性能を総合的に評価するための方法及びシステムに関し，ＬＢＳ無線網分析プログラムは，所定のコンピュータ言語でコーディングされており，ＬＢＳメッセージを分析して１つ以上の基準により分析メッセージを表示し，無線通信網と関連した情報，ＧＰＳ人工衛星情報及びＬＢＳメッセージに含まれた測位座標値をテキスト及び／またはイメージに加工して表示する。
2006524443.tif 000002
【特許請求の範囲】
【請求項１】
無線通信網とＡ（Ａｓｓｉｓｔｅｄ）-ＧＰＳ方式を用いた移動通信端末機の位置決定と関連した性能を評価するためのシステムにおいて，
ＧＰＳ人工衛星から航法データが含まれたＧＰＳ電波を受信し，前記航法データを前記無線通信網に伝送するＧＰＳモジュールが取付けられた移動通信端末機と；
前記移動通信端末機と有無線で接続されて，位置決定と関連したデータを分析及び加工し，加工されたデータを１つ以上の基準によりテキスト及びグラフでリアルタイムに表示するＬＢＳ無線網分析プログラムが設けられているテスト装置と；
前記無線通信網を通じて前記航法データを受信し，前記航法データを経緯度座標値に変換して前記移動通信端末機に伝送して，前記位置決定と関連したデータを送受信する位置決定サーバーと；
を含むことを特徴とする無線通信網とＡ-ＧＰＳ方式を用いた移動通信端末機の位置決定の性能評価システム。
【請求項２】
前記ＬＢＳ無線網分析プログラムが受信する前記位置決定と関連したデータは，前記移動通信端末機が前記位置決定サーバーから受信するＬＢＳメッセージであって，前記ＬＢＳメッセージはＩＳ-８０１-１規格に定義されていることを特徴とする，請求項１に記載の無線通信網とＡ-ＧＰＳ方式を用いた移動通信端末機の位置決定の性能評価システム。
【請求項３】
前記ＬＢＳ無線網分析プログラムは，前記ＬＢＳメッセージを分析し，前記ＬＢＳメッセージが送信または受信された時間情報と，順方向チャネルメッセージ，逆方向チャネルメッセージ，要請メッセージ及び応答メッセージなのかに関する情報及びメッセージの名称情報のうち，１つ以上の情報を表示することを特徴とする，請求項２に記載の無線通信網とＡ-ＧＰＳ方式を用いた移動通信端末機の位置決定の性能評価システム。
【請求項４】
前記メッセージの名称情報は，“Ｒｅｑｕｅｓｔ  ＭＳ  Ｉｎｆｏｒｍａｔｉｏｎ”，“Ｒｅｑｕｅｓｔ Ｐｉｌｏｔ Ｐｈａｓｅ Ｍｅａｓｕｒｅｍｅｎｔ”，“Ｐｒｏｖｉｄｅ ＭＳ Ｉｎｆｏｒｍａｔｉｏｎ”，“Ｐｒｏｖｉｄｅ Ｐｉｌｏｔ Ｐｈａｓｅ Ｍｅａｓｕｒｅｍｅｎｔ”，“Ｒｅｑｕｅｓｔ Ｐｓｅｕｄｏｒａｎｇｅ Ｍｅａｓｕｒｅｍｅｎｔ”，“Ｐｒｏｖｉｄｅ Ｐｓｅｕｄｏｒａｎｇｅ Ｍｅａｓｕｒｅｍｅｎｔ”，“Ｐｒｏｖｉｄｅ ＧＰＳ Ａｃｑｕｉｓｉｔｉｏｎ Ａｓｓｉｓｔａｎｃｅ”，“Ｐｒｏｖｉｄｅ ＧＰＳ Ｓｅｎｓｉｔｉｖｉｔｙ Ａｓｓｉｓｔａｎｃｅ”，“Ｒｅｑｕｅｓｔ Ｌｏｃａｔｉｏｎ Ｒｅｓｐｏｎｓｅ”のうちのいずれか１つであることを特徴とする，請求項３に記載の無線通信網とＡ-ＧＰＳ方式を用いた移動通信端末機の位置決定の性能評価システム。
【請求項５】
前記ＬＢＳ無線網分析プログラムは，ＧＰＳ人工衛星情報を分析及び表示し，前記ＧＰＳ人工衛星情報は“Ｐｒｏｖｉｄｅ ＧＰＳ Ａｃｑｕｉｓｉｔｉｏｎ Ａｓｓｉｓｔａｎｃｅ”メッセージに含まれた１つ以上のＧＰＳ人工衛星の方位角値，高度角値，総ＧＰＳ人工衛星の個数及び各ＧＰＳ人工衛星の固有番号のうち，いずれか１つ以上であることを特徴とする，請求項１または２に記載の無線通信網とＡ-ＧＰＳ方式を用いた移動通信端末機の位置決定の性能評価システム。
【請求項６】
前記ＬＢＳ無線網分析プログラムはＧＰＳ人工衛星情報を分析及び表示し，前記ＧＰＳ人工衛星情報は“Ｐｒｏｖｉｄｅ Ｐｓｅｕｄｏｒａｎｇｅ Ｍｅａｓｕｒｅｍｅｎｔ”メッセージに含まれた総ＧＰＳ人工衛星の個数及び各ＧＰＳ人工衛星の固有番号のうち，いずれか１つ以上であることを特徴とする，請求項１または２記載の無線通信網とＡ-ＧＰＳ方式を用いた移動通信端末機の位置決定の性能評価システム。
【請求項７】
前記ＬＢＳ無線網分析プログラムは，前記移動通信網の情報，前記ＬＢＳメッセージを伝送する無線基地局の疑似不規則雑音符号及び前記疑似不規則雑音符号の強さを前記ＬＢＳメッセージから抽出及び表示することを特徴とする，請求項２に記載の無線通信網とＡ-ＧＰＳ方式を用いた移動通信端末機の位置決定の性能評価システム。
【請求項８】
前記移動通信網はＣＤＭＡ（Ｃｏｄｅ Ｄｉｖｉｓｉｏｎ Ｍｕｌｔｉｐｌｅ Ａｃｃｅｓｓ），ＧＳＭ（Ｇｌｏｂａｌ Ｓｙｓｔｅｍ ｆｏｒ Ｍｏｂｉｌｅ Ｃｏｍｍｕｎｉｃａｔｉｏｎ），ＣＤＭＡ２０００ １Ｘ，３Ｘ，ＥＶ-ＤＯ，ＥＶ-ＤＶ，ＷＣＤＭＡ（ＷｉｄｅＢａｎｄ ＣＤＭＡ）及びＰＩ（Ｐｏｒｔａｂｌｅ Ｉｎｔｅｒｎｅｔ）のうちのいずれか１つであることを特徴とする，請求項７に記載の無線通信網とＡ-ＧＰＳ方式を用いた移動通信端末機の位置決定の性能評価システム。
【請求項９】
前記移動通信端末機と前記テスト装置は，赤外線通信，Ｂｌｕｅｔｏｏｔｈ通信及び無線周波数通信のうちのいずれかの無線通信で接続されることを特徴とする，請求項１に記載の無線通信網とＡ-ＧＰＳ方式を用いた移動通信端末機の位置決定の性能評価システム。
【請求項１０】
前記移動通信端末機と前記位置決定サーバーは，ＴＣＰ-ＩＰ（Ｔｒａｎｓｍｉｓｓｉｏｎ Ｃｏｎｔｒｏｌ Ｐｒｏｔｏｃｏｌ-Ｉｎｔｅｒｎｅｔ  Ｐｒｏｔｏｃｏｌ）通信を通じて前記位置決定と関連したデータを送受信することを特徴とする請求項１に記載の無線通信網とＡ-ＧＰＳ方式を用いた移動通信端末機の位置決定の性能評価システム。
【請求項１１】
前記移動通信端末機はＰＤＡ（Ｐｅｒｓｏｎａｌ  Ｄｉｇｉｔａｌ Ａｓｓｉｓｔａｎｔ），セルラー（Ｃｅｌｌｕｌａｒ）フォン，ＰＣＳ（Ｐｅｒｓｏｎａｌ  Ｃｏｍｍｕｎｉｃａｔｉｏｎ  Ｓｅｒｖｉｃｅ）フォン，ハンドヘルドＰＣ（Ｈａｎｄ-Ｈｅｌｄ  ＰＣ），ＧＳＭ（Ｇｌｏｂａｌ Ｓｙｓｔｅｍ ｆｏｒ Ｍｏｂｉｌｅ）フォン，Ｗ-ＣＤＭＡ（Ｗｉｄｅｂａｎｄ ＣＤＭＡ）フォン，ＥＶ-ＤＯフォン，ＥＶ-ＤＶ（Ｄａｔａ  ａｎｄ  Ｖｏｉｃｅ）フォン及びＭＢＳ（Ｍｏｂｉｌｅ Ｂｒｏａｄｂａｎｄ Ｓｙｓｔｅｍ）フォンのうちのいずれか１つであることを特徴とする請求項１に記載の無線通信網とＡ-ＧＰＳ方式を用いた移動通信端末機の位置決定の性能評価システム。
【請求項１２】
ＧＰＳ電波及びＬＢＳメッセージを受信する移動通信端末機，前記移動通信端末機と有無線通信するテスト装置及び前記移動通信端末機と前記ＬＢＳメッセージを送受信する位置決定サーバーを含んでなるシステムにおいて移動通信端末機の位置決定と関連した性能を評価する方法において，
（ａ）前記テスト装置が前記移動通信端末機から前記ＬＢＳメッセージをリアルタイムに受信するステップと；
（ｂ）受信した前記ＬＢＳメッセージをリアルタイムに分析するステップと；
（ｃ）分析した前記ＬＢＳメッセージを要求された形式で加工してテキストまたはグラフでリアルタイムに表示するステップと；
を含むことを特徴とする，無線通信網とＡ-ＧＰＳ方式を用いた移動通信端末機の位置決定の性能評価方法。
【請求項１３】
前記ＬＢＳメッセージはＩＳ-８０１-１に定義されている位置決定と関連したメッセージであることを特徴とする，請求項１２に記載の無線通信網とＡ-ＧＰＳ方式を用いた移動通信端末機の位置決定の性能評価方法。
【請求項１４】
前記ステップ（ａ）において，
前記テスト装置は，有線通信および／または無線通信を通じて，前記ＬＢＳメッセージを前記移動通信端末機から受信することを特徴とする，請求項１２に記載の無線通信網とＡ-ＧＰＳ方式を用いた移動通信端末機の位置決定の性能評価方法。
【請求項１５】
前記ＬＢＳメッセージの受信，分析，加工及び表示は，前記テスト装置に格納されているＬＢＳ無線網分析プログラムが実行することを特徴とする，請求項１２に記載の無線通信網とＡ-ＧＰＳ方式を用いた移動通信端末機の位置決定の性能評価方法。
【請求項１６】
無線通信網とＡ（Ａｓｓｉｓｔｅｄ）-ＧＰＳを通じてＩＳ-８０１-１規格に定義されたＬＢＳメッセージを受信，分析，加工及び出力するＬＢＳ無線網分析プログラムが記録されたコンピュータで読取り可能な記録媒体において，
前記ＬＢＳ無線網分析プログラムは，所定のコンピュータ言語でコード化されており，前記ＬＢＳメッセージを分析して１つ以上の基準により分析メッセージを表示し，前記無線通信網と関連した情報，ＧＰＳ人工衛星情報及び前記ＬＢＳメッセージに含まれた測位座標値をテキスト及び／またはイメージに加工して表示することを特徴とする，ＬＢＳ無線網分析プログラムが記録されたコンピュータで読取り可能な記録媒体。
【請求項１７】
前記ＬＢＳ無線網分析プログラムは，前記ＬＢＳメッセージを分析して前記ＬＢＳメッセージが送信または受信された時間情報と，順方向チャネルメッセージ，逆方向チャネルメッセージ，要請メッセージ及び応答メッセージなのかに関する情報及びメッセージの名称情報のうち，１つ以上の情報を表示することを特徴とする，請求項１６に記載のＬＢＳ無線網分析プログラムが記録されたコンピュータで読取り可能な記録媒体。
【請求項１８】
前記メッセージの名称情報は“Ｒｅｑｕｅｓｔ ＭＳ Ｉｎｆｏｒｍａｔｉｏｎ”，“Ｒｅｑｕｅｓｔ Ｐｉｌｏｔ Ｐｈａｓｅ Ｍｅａｓｕｒｅｍｅｎｔ”，“Ｐｒｏｖｉｄｅ ＭＳ Ｉｎｆｏｒｍａｔｉｏｎ”，“Ｐｒｏｖｉｄｅ Ｐｉｌｏｔ Ｐｈａｓｅ Ｍｅａｓｕｒｅｍｅｎｔ”，“Ｒｅｑｕｅｓｔ Ｐｓｅｕｄｏｒａｎｇｅ Ｍｅａｓｕｒｅｍｅｎｔ”，“Ｐｒｏｖｉｄｅ Ｐｓｅｕｄｏｒａｎｇｅ Ｍｅａｓｕｒｅｍｅｎｔ”，“Ｐｒｏｖｉｄｅ ＧＰＳ Ａｃｑｕｉｓｉｔｉｏｎ Ａｓｓｉｓｔａｎｃｅ”，“Ｐｒｏｖｉｄｅ ＧＰＳ Ｓｅｎｓｉｔｉｖｉｔｙ Ａｓｓｉｓｔａｎｃｅ”，“Ｒｅｑｕｅｓｔ Ｌｏｃａｔｉｏｎ Ｒｅｓｐｏｎｓｅ”のうちの１つであることを特徴とする，請求項１７に記載のＬＢＳ無線網分析プログラムが記録されたコンピュータで読取り可能な記録媒体。
【請求項１９】
前記無線通信網と関連した情報は，前記ＬＢＳメッセージを送受信処理する前記無線通信網の種類，無線基地局の疑似不規則雑音符号及び前記疑似不規則雑音符号の強さのうち，１つ以上であることを特徴とする請求項１７に記載のＬＢＳ無線網分析プログラムが記録されたコンピュータで読取り可能な記録媒体。
【請求項２０】
前記無線通信網はＣＤＭＡ（Ｃｏｄｅ Ｄｉｖｉｓｉｏｎ Ｍｕｌｔｉｐｌｅ Ａｃｃｅｓｓ），ＧＳＭ（Ｇｌｏｂａｌ Ｓｙｓｔｅｍ ｆｏｒ Ｍｏｂｉｌｅ Ｃｏｍｍｕｎｉｃａｔｉｏｎ），ＣＤＭＡ２０００ １Ｘ，３Ｘ，ＥＶ-ＤＯ，ＥＶ-ＤＶ，ＷＣＤＭＡ（Ｗｉｄｅｂａｎｄ ＣＤＭＡ）及びＰＩ（Ｐｏｒｔａｂｌｅ Ｉｎｔｅｒｎｅｔ）のうち，少なくとも１つであることを特徴とする，請求項１９に記載のＬＢＳ無線網分析プログラムが記録されたコンピュータで読取り可能な記録媒体。
【請求項２１】
前記ＧＰＳ人工衛星情報は“Ｐｒｏｖｉｄｅ ＧＰＳ Ａｃｑｕｉｓｉｔｉｏｎ Ａｓｓｉｓｔａｎｃｅ”メッセージに含まれた１つ以上のＧＰＳ人工衛星の方位角値，高度角値，総ＧＰＳ人工衛星の個数及び各ＧＰＳ人工衛星の固有番号のうち，１つ以上であることを特徴とする，請求項１９に記載のＬＢＳ無線網分析プログラムが記録されたコンピュータで読取り可能な記録媒体。
【請求項２２】
前記ＧＰＳ人工衛星情報は“Ｐｒｏｖｉｄｅ Ｐｓｅｕｄｏｒａｎｇｅ Ｍｅａｓｕｒｅｍｅｎｔ”メッセージに含まれた総ＧＰＳ人工衛星の個数及び各ＧＰＳ人工衛星の固有番号のうち，１つ以上であることを特徴とする，請求項１６に記載のＬＢＳ無線網分析プログラムが記録されたコンピュータで読取り可能な記録媒体。
【請求項２３】
前記各ＧＰＳ人工衛星情報は，高度角０度から９０度まで一定の単位で区分された１つ以上の同心円及び４方位の交差線を含んで構成された画面に区別可能に互いに相異する色，または，形態のテキスト，または，図形で表示されることを特徴とする，請求項２１または２２に記載のＬＢＳ無線網分析プログラムが記録されたコンピュータで読取り可能な記録媒体。
【請求項２４】
前記ＬＢＳ無線網分析プログラムは，前記“Ｐｒｏｖｉｄｅ Ｐｓｅｕｄｏｒａｎｇｅ Ｍｅａｓｕｒｅｍｅｎｔ”メッセージに含まれた前記各ＧＰＳ人工衛星の固有番号とＧＰＳ電波の受信感度であるＣ／Ｎｏ（Ｃａｒｒｉｅｒ ｔｏ Ｎｏｉｓｅ）を平面座標上に表示することを特徴とする請求項１８に記載のＬＢＳ無線網分析プログラムが記録されたコンピュータで読取り可能な記録媒体。
【請求項２５】
前記ＬＢＳ無線網分析プログラムは，地図データを記憶して前記測位座標値に該当する測位地点を含んだ所定領域の地図を表示することを特徴とする，請求項１６に記載のＬＢＳ無線網分析プログラムが記録されたコンピュータで読取り可能な記録媒体。
【請求項２６】
前記地図データはＷＧＳ（Ｗｏｒｌｄ  Ｇｅｏｄｅｔｉｃ  Ｓｙｓｔｅｍ）-８４フォーマットからなることを特徴とする，請求項２５に記載のＬＢＳ無線網分析プログラムが記録されたコンピュータで読取り可能な記録媒体。
【請求項２７】
前記ＬＢＳ無線網分析プログラムは，前記地図を特定地点を中心にして一定の距離単位で同心円を表示したり４方位交差線を表示し，前記同心円または前記４方位交差線を基準にして前記地図を一定割合で拡大または縮小することができ，拡大または縮小された地図を一定時間の間表示することを特徴とする，請求項２５に記載のＬＢＳ無線網分析プログラムが記録されたコンピュータで読取り可能な記録媒体。
【請求項２８】
前記ＬＢＳ無線網分析プログラムは，固定された特定位置で１つ以上の固定測位座標値を前記地図にリアルタイムに表示する固定基準モードまたは変化する測定位置ごとに測定した各々の移動測位座標値を表示し，各々の前記移動測位座標値を中心にして前記地図のディスプレー領域を変更することを特徴とする，請求項２５に記載のＬＢＳ無線網分析プログラムが記録されたコンピュータで読取り可能な記録媒体。
【請求項２９】
前記ＬＢＳ無線網分析プログラムは，前記測位座標値と測位対象体の実際位置との距離誤差を測位順序によってリアルタイムに表示することを特徴とする，請求項１６に記載のＬＢＳ無線網分析プログラムが記録されたコンピュータで読取り可能な記録媒体。
【請求項３０】
前記距離誤差のスケールは調節可能なことを特徴とする，請求項２９に記載のＬＢＳ無線網分析プログラムが記録されたコンピュータで読取り可能な記録媒体。
【請求項３１】
前記ＬＢＳ無線網分析プログラムは，前記距離誤差を演算した総測位回数，一定半径以内の距離誤差を有する測位回数及び総測位地点からの距離誤差を小さなものから考慮して，一定の距離誤差範囲に該当する距離誤差統計情報を分析して表示することを特徴とする，請求項２９に記載のＬＢＳ無線網分析プログラムが記録されたコンピュータで読取り可能な記録媒体。
【請求項３２】
前記ＬＢＳ無線網分析プログラムは，特定の時点まで測位した測位値らの緯度及び経度別平均値を演算して前記実際位置からの距離誤差を表す“Ｂｉａｓ
Ｎｏｒｔｈ”または“Ｂｉａｓ Ｅａｓｔ”のうち，１つ以上を演算して表示することを特徴とする請求項３１に記載のＬＢＳ無線網分析プログラムが記録されたコンピュータで読取り可能な記録媒体。
【請求項３３】
前記記録媒体はフロッピー（登録商標）ディスク，ハードディスク，ＺＩＰディスク，ＪＡＺディスク，ＣＤ（Ｃｏｍｐａｃｔ Ｄｉｓｃ）及びＤＶＤ（Ｄｉｇｉｔａｌ Ｖｅｒｓａｔｉｌｅ Ｄｉｓｃ）のうちにいずれか１つであることを特徴とする，請求項１６に記載のＬＢＳ無線網分析プログラムが記録されたコンピュータで読取り可能な記録媒体。
【発明の詳細な説明】
【技術分野】
【０００１】
本発明は，無線通信網とＡ-ＧＰＳ（Ａｓｓｉｓｔｅｄ-ＧＰＳ）方式を用いた移動通信端末機の位置決定と関連した性能評価方法及びシステムに関し，より詳細には，無線通信網とＡ-ＧＰＳ方式を用いて移動通信端末機の位置を決定する際，ＩＳ（Ｉｎｔｅｒｉｍ  Ｓｔａｎｄａｒｄ）-８０１-１規格の各種パラメータを用いてＬＢＳ（Ｌｏｃａｔｉｏｎ Ｂａｓｅｄ  Ｓｅｒｖｉｃｅ）無線通信網の位置決定に関する性能を総合的に評価するための方法及びシステムに関する。
【背景技術】
【０００２】
近年，空間を超越してインターネットなどの通信サービスを提供するために多くの企業が無線インターネットという新しい技術の開発に取り組んでいる。無線インターネットは使用者が移動する途中に無線網（Ｗｉｒｅｌｅｓｓ  Ｎｅｔｗｏｒｋ）を通じてインターネットサービスを利用できる環境と技術をいう。携帯電話関連技術の発達と携帯電話普及率の飛躍的な増加は，このような無線インターネット環境の発展をより促進させた。
【０００３】
一方，携帯電話やＰＤＡなどのような無線通信端末機を用いた多様な無線インターネットサービスのうち，特に，位置情報サービス（ＬＢＳ：Ｌｏｃａｔｉｏｎ  Ｂａｓｅｄ  Ｓｅｒｖｉｃｅ）は広範な活用性及び便利性により大きく脚光を浴びている。位置情報無線インターネットサービスは救助要請，犯罪申告への対応，隣接地域の地理情報を提供する地理情報システム（ＧＩＳ：Ｇｅｏｇｒａｐｈｉｃ  Ｉｎｆｏｒｍａｔｉｏｎ  Ｓｙｓｔｅｍ），位置による移動通信料金の差別化，交通情報，車両航法及び物流管制，位置情報ＣＲＭ（Ｃｕｓｔｏｍｅｒ  Ｒｅｌａｔｉｏｎｓｈｉｐ  Ｍａｎａｇｅｍｅｎｔ）等，多様な分野及び状況に使われている。
【０００４】
このような位置情報無線インターネットサービスを利用するためには，無線通信端末機の位置を把握することが必須である。現在，無線通信を用いて位置を把握する方法ではＧＰＳを利用する方法が主である。
【０００５】
ＧＰＳは，高度約２０，０００キロメートル上空で地球軌道を回る２４個のＧＰＳ衛星により全世界どこでも位置を把握できるシステムである。ＧＰＳは１．５ＧＨｚ帯域の電波を使用している。地上には，コントロールステーション（Ｃｏｎｔｒｏｌ Ｓｔａｔｉｏｎ）という調整センターがあって，ＧＰＳ衛星から伝送された情報を収集し動機化させる役目をし，使用者はＧＰＳ受信機を通じて現在の位置を把握する。ＧＰＳシステムを用いて位置を把握する方法として一般的に三角測量法が使われる。三角測量のためには３個の衛星が必要であり，ここに時間誤差のための観測用衛星１個を含んで総４個のＧＰＳ衛星が必要である。
【０００６】
より詳細に説明すると，ＧＰＳでは３個の衛星の各々の位置を既に知っているので，衛星とＧＰＳ受信機との間の距離を測定して測位を行う。衛星からＧＰＳ受信機までの距離は，衛星から時刻が送出されるので，電波が衛星から送出された時刻と時計を内蔵しているＧＰＳ受信機が受信する時刻との差で電波伝達時間が分かり，電波伝達時間に光束をかけると距離を計算することができる。
【０００７】
一方，ＧＰＳは誰でも無料で自由に利用することができ，利用者数に制限がなくて，リアルタイムに連続測位が可能であり，比較的正確な位置決定が可能であるという長所がある。
【０００８】
だが，多重経路と可視衛星の不足により都心での位置決定能力が制限され，トンネルや建物の地下のように衛星が見えない所（電波が到達しない所）では正確な測位がほとんど不可能であり，ＧＰＳ受信機から見た衛星の配置によって測位状態に大きい誤差が生じる問題がある。また，ＧＰＳ受信機が最初に自分の位置を決定するために要求される実際的な時間であるＴＴＦＦ（Ｔｉｍｅ  Ｔｏ  Ｆｉｒｓｔ  Ｆｉｘ）が数分〜十分以上を必要とする場合が時々発生して，位置情報無線インターネットのサービス利用者に多大な不便をもたらす問題がある。
【０００９】
このようなＧＰＳ方式の短所を補完するために，ＧＰＳ方式に無線通信網の資源を結合して移動通信端末機の位置を決定するＡ-ＧＰＳ方式が開発されて使われている。Ａ-ＧＰＳ方式において，移動通信端末機はＧＰＳ人工衛星と無線通信網から同時に位置決定に必要な情報を収集するので３次元的に位置を決定できる。位置決定のために無線通信網と移動通信端末機は，ＩＳ-８０１-１の規格に定義されたパラメータを用いてデータやメッセージを送受信する。
【００１０】
一方，移動通信端末機の位置決定システムにおいて，位置決定に関する性能評価は通信網事業者には非常に重要な作業である。しかし，Ａ-ＧＰＳ方式で位置決定の性能評価は測定者がノートブックコンピュータのモニター画面にディスプレーされるＩＳ-８０１-１規格に定義されたコールフローメッセージを単純に閲覧する水準に留まっている。このように，位置決定時にテキスト（Ｔｅｘｔ）のみで送受信されるコールフローメッセージを確認する方法は位置決定が不十分であるという単純な事実のみを推量することができるだけであり，どんな理由で位置決定が不十分であるかを確認することができないという短所がある。即ち，位置決定が不十分である原因が無線通信網に設けられた装置の欠陥によるものか，移動通信端末機自体の欠陥によるものか，地形地物（高いビルディング，山，樹など）によるものであるか等を全く把握できないので，迅速な対処が非常に困難であるという問題がある。
【発明の開示】
【発明が解決しようとする課題】
【００１１】
上述の問題を解決するために，本発明は無線通信網とＡ-ＧＰＳ方式を用いて移動通信端末機の位置を決定する際，ＩＳ-８０１-１規格の各種パラメータを用いてＬＢＳ無線通信網の位置決定に関する性能を総合的に評価するための方法及びシステムを提示することを目的とする。
【課題を解決するための手段】
【００１２】
上記課題を解決するために，本発明のある観点によると，無線通信網とＡ-ＧＰＳ方式を用いた移動通信端末機の位置決定と関連した性能を評価するためのシステムにおいて，ＧＰＳ人工衛星から航法データが含まれたＧＰＳ電波を受信して航法データを無線通信網に伝送するＧＰＳモジュールが取付けられた移動通信端末機と，移動通信端末機と有無線で接続されて位置決定と関連したデータを伝達受けて分析及び加工し，加工されたデータを１つ以上の基準によりテキスト及びグラフィックでリアルタイムにディスプレーするＬＢＳ無線網分析プログラムが設けられているテスト装置と，無線通信網を通じて航法データを受信し，航法データを経緯度座標値に変換して移動通信端末機に伝送して，位置決定と関連したデータを送受信する位置決定サーバーとを含むことを特徴とする無線通信網とＡ-ＧＰＳ方式を用いた移動通信端末機の位置決定の性能評価システムを提供する。
【００１３】
上記課題を解決するために，本発明の別の観点によると，ＧＰＳ電波及びＬＢＳメッセージを受信する移動通信端末機，移動通信端末機と有無線通信するテスト装置及び移動通信端末機とＬＢＳメッセージを送受信する位置決定サーバーを含んでなるシステムにおいて移動通信端末機の位置決定と関連した性能を評価する方法において，（ａ）テスト装置が移動通信端末機からＬＢＳメッセージをリアルタイムに受信するステップと，（ｂ）受信したＬＢＳメッセージをリアルタイムに分析するステップと，（ｃ）分析したＬＢＳメッセージを要請された形式で加工してテキスト（Ｔｅｘｔ）及び/またはイメージ（Ｉｍａｇｅ）でリアルタイムに出力するステップとを含むことを特徴とする無線通信網とＡ-ＧＰＳ方式を用いた移動通信端末機の位置決定の性能評価方法を提供する。
【００１４】
上記課題を解決するために，本発明の別の観点によると，無線通信網とＡ-ＧＰＳを通じてＩＳ-８０１-１規格に定義されたＬＢＳメッセージを受信，分析，加工及び出力するＬＢＳ無線網分析プログラムが記録されたコンピュータで読取ることができる記録媒体において，ＬＢＳ無線網分析プログラムは所定のコンピュータ言語でコーディングされており，ＬＢＳメッセージを分析して１つ以上の基準により分析メッセージを詳細に表示し，無線通信網と関連した情報，ＧＰＳ人工衛星情報及びＬＢＳメッセージに含まれた測位座標値をテキスト及び／またはイメージに加工して表示することを特徴とするＬＢＳ無線網分析プログラムが記録されたコンピュータで読取ることができる記録媒体を提供する。
【発明の効果】
【００１５】
上述のように，従来の移動通信端末機の位置決定の性能評価方法では迅速で効率のよい評価が困難であったが，本発明によると測定者は移動通信端末機の位置決定の性能評価を多様な方法と様式を用いて迅速で效率のよく遂行することができる長所がある。
【００１６】
また，移動通信端末機の位置決定が正しく遂行できない場合には，迅速な原因糾明が可能となるので，位置情報サービスを利用する使用者に一層良質のサービスが提供できる効果がある。
【発明を実施するための最良の形態】
【００１７】
以下，本発明の好ましい実施の形態を添付の図面を参照しながら詳細に説明する。まず，各図面の構成要素らに参照符号を与えることにおいて，同一な構成要素らに対してはたとえ他の図面上に表示されても，できる限り同一な符号を有するようにしていることに留意しなければならない。また，本発明を説明することにおいて，関連した公知の構成または機能に対する具体的な説明が本発明の要旨を不明瞭にする可能性があると判断される場合にはその詳細な説明は省略する。
【００１８】
図１は，本発明の好ましい実施の形態によりＡ-ＧＰＳ方式の位置決定性能を評価するための測定システム１００を簡略的に示すブロック図である。
【００１９】
本発明の好ましい実施の形態に係る測定システム１００は，移動通信端末機１１０，テスト装置１２０，無線基地局１３０，移動交換局１４０，ＳＴＰ１５０，ＬＢＳシステム１６０及びＬＢＳプラットフォーム（Ｐｌａｔｆｏｒｍ）１７０を含む。
【００２０】
移動通信端末機１１０は，ＧＰＳ人工衛星（図示していない）からＧＰＳ電波を受信してＧＰＳ電波に含まれた航法データを抽出して無線通信網を通じてＬＢＳシステム１６０に伝送するＧＰＳアンテナ，ＧＰＳ受信機，ＧＰＳチップセット（Ｃｈｉｐｓｅｔ）などが装着された端末機である。
【００２１】
本発明の実施の形態に係る移動通信端末機１１０は，ＰＤＡ（Ｐｅｒｓｏｎａｌ  Ｄｉｇｉｔａｌ  Ａｓｓｉｓｔａｎｔ），セルラー（Ｃｅｌｌｕｌａｒ）フォン，ＰＣＳ（Ｐｅｒｓｏｎａｌ  Ｃｏｍｍｕｎｉｃａｔｉｏｎ  Ｓｅｒｖｉｃｅ）フォン，ハンドヘルドＰＣ（Ｈａｎｄ-Ｈｅｌｄ  ＰＣ），ＧＳＭ（Ｇｌｏｂａｌ  Ｓｙｓｔｅｍ  ｆｏｒ  Ｍｏｂｉｌｅ）フォン，Ｗ-ＣＤＭＡ（Ｗｉｄｅｂａｎｄ  ＣＤＭＡ）フォン，ＥＶ-ＤＯフォン，ＥＶ-ＤＶ（Ｄａｔａ  ａｎｄ  Ｖｏｉｃｅ）フォン及びＭＢＳ（Ｍｏｂｉｌｅ  Ｂｒｏａｄｂａｎｄ  Ｓｙｓｔｅｍ）フォンで具現されることができる。また，ＷＬＬ（Ｗｉｒｅｌｅｓｓ  Ｌｏｃａｌ  Ｌｏｏｐ），デジタルＴＲＳ（Ｔｒｕｎｋｅｄ  Ｒａｄｉｏ  Ｓｙｓｔｅｍ）フォンなどであってもよい。ここで，ＭＢＳフォンは現在論議されている第４世代システムで使われる携帯電話をいう。
【００２２】
テスト装置１２０は移動通信端末機１１０と有線ケーブル（Ｃａｂｌｅ）や無線通信を通じて接続されて，位置決定と関連したＩＳ-８０１-１規格に定義された各種パラメータを移動通信端末機１１０から取得して分析及び加工し，分析及び加工された結果を表示する装置である。ここで，無線通信は赤外線通信，Ｂｌｕｅｔｏｏｔｈ通信，ＲＦ（Ｒａｄｉｏ  Ｆｒｅｑｕｅｎｃｙ）通信などを含む。テスト装置１２０には本発明の実施の形態に係るＩＳ-８０１-１規格に定義されたパラメータを用いてＬＢＳ無線網における位置決定の性能を多様に分析し表示するためのＬＢＳ無線網分析プログラムが組込されている。
【００２３】
本発明の実施の形態に係るＬＢＳ無線網分析プログラムは，移動通信端末機１１０が位置決定サーバー１６２に接続して受信するＩＳ-８０１-１規格に定義されたＬＢＳメッセージを取得して，このＬＢＳメッセージを分析して多様な形態で表示する。また，ＬＢＳ無線網分析プログラムは移動通信端末機１１０が接続している移動通信網の情報と位置決定サーバー１６２からＬＢＳメッセージを受信して伝送する無線基地局の疑似不規則雑音符号（Ｐｓｅｕｄｏ  Ｒａｎｄｏｍ  Ｎｏｉｓｅ  Ｃｏｄｅ）及び疑似不規則雑音符号の大きさ（Ｓｔｒｅｎｇｔｈ）を表示する。
【００２４】
本発明の実施の形態に係る移動通信網は，ＣＤＭＡ（Ｃｏｄｅ  Ｄｉｖｉｓｉｏｎ  Ｍｕｌｔｉｐｌｅ  Ａｃｃｅｓｓ），ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ），ＣＤＭＡ２０００ １Ｘ，３Ｘ，ＥＶ-ＤＯ，ＥＶ-ＤＶ，ＷＣＤＭＡ（Ｗｉｄｅｂａｎｄ  ＣＤＭＡ），ＰＩ（Ｐｏｒｔａｂｌｅ  Ｉｎｔｅｒｎｅｔ），ＷＬＬ（Ｗｉｒｅｌｅｓｓ  Ｌｏｃａｌ  Ｌｏｏｐ）及びデジタルＴＲＳ（Ｔｒｕｎｋｅｄ  Ｒａｄｉｏ  Ｓｙｓｔｅｍ）であってもよい。
【００２５】
無線基地局１３０は，基地局伝送機（ＢＴＳ：Ｂａｓｅ  Ｔｒａｎｓｃｅｉｖｅｒ  Ｓｙｓｔｅｍ）１３２と基地局制御機（ＢＳＣ：Ｂａｓｅ  Ｓｔａｔｉｏｎ  Ｃｏｎｔｒｏｌｌｅｒ）１３４を含み，移動通信端末機１１０の呼び出し要求を処理したり，移動通信端末機１１０とＬＢＳシステム１６０との間のＩＳ-８０１-１規格に定義されたパラメータメッセージの送受信を行う。
【００２６】
基地局伝送機１３２は基底帯域信号処理，有無線変換，無線信号の送受信などを行って，移動通信端末機１１０を通じてテスト装置１２０と直接的に連動する網終端（Ｅｎｄｐｏｉｎｔ）装置である。
【００２７】
基地局制御機１３４は，基地局伝送機１３２を制御し，移動通信端末機１１０に対する無線チャネル割当及び解除，テスト装置１２０及び基地局伝送機１３２の送信出力制御，セル間ソフトハンドオフ（Ｓｏｆｔ  Ｈａｎｄｏｆｆ）及びハードハンドオフ（Ｈａｒｄ  Ｈａｎｄｏｆｆ）決定，トランスコーディング（Ｔｒａｎｓｃｏｄｉｎｇ）及びボコーディング（Ｖｏｃｏｄｉｎｇ），ＧＰＳ（Ｇｌｏｂａｌ  Ｐｏｓｉｔｉｏｎｉｎｇ  Ｓｙｓｔｅｍ）クロック分配，基地局伝送機１３２に対する運用及びメンテナンスなどの機能を遂行する。
【００２８】
移動交換局（ＭＳＣ：Ｍｏｂｉｌｅ  Ｓｗｉｔｃｈｉｎｇ  Ｃｅｎｔｅｒ）１４０は，無線基地局が效率よく運用できるようにする統制機能と公衆電話網に設けられた交換機との連動機能を有している。移動交換局１４０は，移動通信端末機１１０から伝送される航法データを無線基地局１３０を通じて受信して位置決定サーバー１６２に伝送する。
【００２９】
ＳＴＰ（Ｓｉｇｎａｌｉｎｇ  Ｔｒｎａｓｆｅｒ  Ｐｏｉｎｔ）１５０は，ＩＴＵ-Ｔの共通線信号方式において信号メッセージの中継及び交換を遂行する信号中継局である。ＳＴＰ１５０を使用して構成した信号網は，通話回線と信号リンクを対応させない非対応モードで運用され，各種信号は通話回線を有する交換局以外のＳＴＰを経由して伝送されて経済性及び信頼性を向上させることができる。また，ＳＴＰ１５０は信号メッセージの変換及び信号中継が不可能である時，信号メッセージを他の交換局に通知する機能も遂行する。
【００３０】
ＬＢＳシステム１６０は，位置決定サーバー（ＰＤＥ：Ｐｏｓｉｔｉｏｎｉｎｇ  Ｄｅｔｅｒｍｉｎａｔｉｏｎ  Ｅｎｔｉｔｙ）１６２と位置センター（ＭＰＣ：Ｍｏｂｉｌｅ  Ｐｏｓｉｔｉｏｎｉｎｇ  Ｃｅｎｔｅｒ）１６４を含む。位置決定サーバー１６２は，移動通信端末機１１０から無線網を経由して伝送される航法データを用いて移動通信端末機１１０の経度及び緯度座標を演算する。また，位置決定サーバー１６２は移動通信端末機１１０の位置決定を助けるための補助（Ａｉｄｉｎｇ）データを伝送して，ＧＰＳ人工衛星と移動通信端末機１１０との間の距離を計算する。ここで，補助データはＴＣＰ-ＩＰ（Ｔｒａｎｓｍｉｓｓｉｏｎ  Ｃｏｎｔｒｏｌ  Ｐｒｏｔｏｃｏｌ-Ｉｎｔｅｒｎｅｔ  Ｐｒｏｔｏｃｏｌ）通信を通じて伝送される。
【００３１】
位置センター１６４は位置決定サーバー１６２と連動して位置決定サーバー１６２で演算した移動通信端末機１１０の経緯度座標を獲得して位置情報サービスを提供する多様なＬＢＳプラットフォーム１７０に伝送する。
【００３２】
ＬＢＳプラットフォーム１７０は，移動通信端末機１１０に位置情報サービスを提供するための一種の応用サーバーを通称する。ＬＢＳプラットフォーム１７０は位置センター１６４から移動通信端末機１１０の経緯度座標を受信して座標変換などの作業を経て，多様な位置情報サービスを提供する。位置決定サーバー１６２または位置センター１６４とＬＢＳプラットフォーム１７０との間のデータ送受信はＴＣＰ-ＩＰ通信を通じてなされる。
【００３３】
図２は，本発明の好ましい実施の形態により移動通信端末機１１０と位置決定サーバー１６２との間で送受信されるＬＢＳメッセージを示す例示画面である。
【００３４】
図２の例示画面を見ると，ＩＳ-８０１-１の規格に定義されたＬＢＳメッセージの伝送時刻，メッセージタイプ，メッセージの名称などの情報が表示されていることが分かる。このようなメッセージは，移動通信端末機１１０と位置決定サーバー１６２との間で送受信されると共に，リアルタイムにテスト装置１２０に表示される。また，測定者は，時間別，メッセージ種類別等でメッセージを再整列させて確認することができる。
【００３５】
本発明の実施の形態に係るＬＢＳ無線網分析プログラムが分析及び表示するＬＢＳメッセージには，図２に示すように，“Ｒｅｑｕｅｓｔ  ＭＳ  Ｉｎｆｏｒｍａｔｉｏｎ”，“Ｒｅｑｕｅｓｔ Ｐｉｌｏｔ Ｐｈａｓｅ Ｍｅａｓｕｒｅｍｅｎｔ”，“Ｐｒｏｖｉｄｅ ＭＳ Ｉｎｆｏｒｍａｔｉｏｎ”，“Ｐｒｏｖｉｄｅ Ｐｉｌｏｔ Ｐｈａｓｅ Ｍｅａｓｕｒｅｍｅｎｔ”，“Ｒｅｑｕｅｓｔ Ｐｓｅｕｄｏｒａｎｇｅ Ｍｅａｓｕｒｅｍｅｎｔ”，“Ｐｒｏｖｉｄｅ Ｐｓｅｕｄｏｒａｎｇｅ Ｍｅａｓｕｒｅｍｅｎｔ”，“Ｐｒｏｖｉｄｅ ＧＰＳ Ａｃｑｕｉｓｉｔｉｏｎ Ａｓｓｉｓｔａｎｃｅ”，“Ｐｒｏｖｉｄｅ ＧＰＳ Ｓｅｎｓｉｔｉｖｉｔｙ Ａｓｓｉｓｔａｎｃｅ”，“Ｒｅｑｕｅｓｔ Ｌｏｃａｔｉｏｎ Ｒｅｓｐｏｎｓｅ”などがある。
【００３６】
また，ＬＢＳ無線網分析プログラムは，ＬＢＳメッセージが位置決定サーバー１６２から移動通信端末機１１０に伝送される順方向チャネルメッセージ（Ｆｏｒｗａｒｄ Ｃｈａｎｎｅｌ  Ｍｅｓｓａｇｅ）と移動通信端末機１１０から位置決定サーバー１６２に伝送される逆方向チャネルメッセージ（Ｒｅｖｅｒｓｅ  Ｃｈａｎｎｅｌ  Ｍｅｓｓａｇｅ）とに区分して表示する。また，各ＬＢＳメッセージが送信または受信された時間情報と要請メッセージ（Ｒｅｑ_Ｔｙｐｅ）であるか，応答（Ｒｅｓｐ_Ｔｙｐｅ）であるかを区分して表示する。
【００３７】
一方，図２の右側ウィンドーには左側ウィンドーから選択された三番目の行の“Ｐｒｏｖｉｄｅ
ＭＳ Ｉｎｆｏｒｍａｔｉｏｎ”メッセージに対する詳細な情報が表示されている。右側ウィンドーを見ると，移動通信端末機１１０がＧＰＳ電波を受信するための補助データであって，“ＧＰＳ Ａｃｑｕｉｓｉｔｉｏｎ Ａｓｓｉｓｔａｎｃｅ”，“ＧＰＳ Ｓｅｎｓｉｔｉｖｉｔｙ Ａｓｓｉｓｔａｎｃｅ”，“ＧＰＳ Ａｌｍａｎａｃ”，“ＧＰＳ Ｅｐｈｅｍｅｒｉｓ”，“ＧＰＳ Ｎａｖｉｇａｔｉｏｎ Ｍｅｓｓａｇｅ Ｂｉｔｓ”，“ＧＰＳ Ａｌｍａｎａｃ Ｃｏｒｒｅｃｔｉｏｎ”及び“ＧＰＳ Ａｕｔｏｎｏｍｏｕｓ Ａｃｑｕｉｓｉｔｉｏｎ Ｃａｐａｂｌｅ”などに関する情報が表示されている。
【００３８】
ここで，ＩＳ-８０１-１規格に定義された“Ｐｒｏｖｉｄｅ ＭＳ Ｉｎｆｏｒｍａｔｉｏｎ”に対する内容は通常の当業者に公知されたものであるので詳細な説明は省略する。
【００３９】
図３は，移動通信端末機１１０が実際位置した所を中心に多数のＧＰＳ人工衛星の空間上配置を２次元的に示す例示画面である。
【００４０】
図１および図３を参考にして説明すると，位置決定サーバー１６２は，ＩＳ-８０１-１に定義された“Ｐｒｏｖｉｄｅ ＧＰＳ Ａｃｑｕｉｓｉｔｉｏｎ Ａｓｓｉｓｔａｎｃｅ”メッセージを移動通信端末機１１０に伝送する。移動通信端末機１１０に受信された“Ｐｒｏｖｉｄｅ ＧＰＳ Ａｃｑｕｉｓｉｔｉｏｎ Ａｓｓｉｓｔａｎｃｅ”メッセージは有線ケーブルで接続されたテスト装置１２０に伝えられて，テスト装置１２０に組込されたＬＢＳ無線網分析プログラムは“Ｐｒｏｖｉｄｅ ＧＰＳ Ａｃｑｕｉｓｉｔｉｏｎ Ａｓｓｉｓｔａｎｃｅ”メッセージに含まれた各ＧＰＳ人工衛星別方位角（Ａｚｉｍｕｔｈ Ａｎｇｌｅ）値と高度角（Ｅｌｅｖａｔｉｏｎ Ａｎｇｌｅ）値を抽出する。ＬＢＳ無線網分析プログラムは抽出した方位角値と高度角値を用いて移動通信端末機１１０の実際位置で探知可能な１つ以上のＧＰＳ人工衛星を２次元平面に表示する。
【００４１】
一方，ＬＢＳ無線網分析プログラムは，位置決定サーバー１６２が移動通信端末機１１０に提供するＧＰＳ人工衛星の情報（ＧＰＳ人工衛星の固有番号）を特定の色で表示して，移動通信端末機１１０が位置決定サーバー１６２に伝送する“Ｐｒｏｖｉｄｅ
Ｐｓｅｕｄｏｒａｎｇｅ Ｍｅａｓｕｒｅｍｅｎｔ”メッセージから移動通信端末機１１０が探知したＧＰＳ人工衛星の情報を抽出する。次に，ＬＢＳ無線網分析プログラムは移動通信端末機１１０が探知したＧＰＳ人工衛星を他の色で同一な画面に表示して測定者が実際の試験環境で移動通信端末機１１０がどの位置にいるＧＰＳ人工衛星を探知するかが分かる。
【００４２】
即ち，図３の左側ウィンドーの同心円画面を見ると，移動通信端末機１１０が位置決定サーバー１６２から受信する“Ｐｒｏｖｉｄｅ ＧＰＳ Ａｃｑｕｉｓｉｔｉｏｎ”メッセージに含まれたＧＰＳ人工衛星の固有番号（ＰＲＮ Ｎｕｍｂｅｒ）と“Ｐｒｏｖｉｄｅ ＧＰＳ Ａｃｑｕｉｓｉｔｉｏｎ”メッセージを用いて移動通信端末機１１０が実際に探知したＧＰＳ人工衛星の固有番号が同心円上に表示されている。ここで，同心円は高度角を基準にして表示され，最外郭同心円から０度，３０度，６０度であり，中心は９０度である。
【００４３】
また，図３の同心円画面においてＧＰＳ人工衛星の固有番号８，１０，１５，１７，２３，２６及び２９番は“Ｐｒｏｖｉｄｅ ＧＰＳ Ａｃｑｕｉｓｉｔｉｏｎ”メッセージに含まれた情報であり，ＧＰＳ人工衛星の固有番号６，９，１８及び２４は移動通信端末機１１０が“Ｐｒｏｖｉｄｅ ＧＰＳ Ａｃｑｕｉｓｉｔｉｏｎ”メッセージを用いて実際に探知したものである。従って，２種類のＧＰＳ人工衛星の固有番号が一致する個数が多いほど位置決定性能が優れると判断する。
【００４４】
また，ＬＢＳ無線網分析プログラムは，移動通信端末機１１０が探知した各ＧＰＳ人工衛星から伝送されるＧＰＳ電波の強さであるＣ／Ｎｏ（Ｃａｒｒｉｅｒ ｔｏ Ｎｏｉｓｅ）をＧＰＳ人工衛星の固有番号と共に表示する。ここで，Ｃ／Ｎｏは各ＧＰＳ人工衛星から送出されるＧＰＳ電波の受信感度を表す値である。即ち，Ｃ／Ｎｏは１Ｈｚ帯域幅での信号対雑音比であって，ＧＰＳ受信機の遂行能力を分析することにおいて，重要な指標である。Ｃ／Ｎｏ値が良いほど（Ｃ／Ｎｏの数値が大きいほど）移動通信端末機がＧＰＳ電波を良好に受信しているものである。図３の下段から見るようにＬＢＳ無線網分析プログラムはＧＰＳ人工衛星の固有番号とＣ／Ｎｏを平面座標上に所定のグラフ，例えば棒グラフで表示し，Ｃ／Ｎｏ値も共に表示する。
【００４５】
図４は，本発明の実施の形態により位置が固定された移動通信端末機１１０の測定された位置座標値を同心円に表示した例示画面である。
【００４６】
図１および図４を参考にして説明すると，位置決定サーバー１６２は移動通信端末機１１０の経緯度座標値が含まれた“Ｐｒｏｖｉｄｅ Ｌｏｃａｔｉｏｎ Ｒｅｓｐｏｎｓｅ”メッセージを伝送する。移動通信端末機１１０に受信された“Ｐｒｏｖｉｄｅ Ｌｏｃａｔｉｏｎ Ｒｅｓｐｏｎｓｅ”メッセージは有線ケーブルを通じてテスト装置１２０に伝えられて，ＬＢＳ無線網分析プログラムは“Ｐｒｏｖｉｄｅ Ｌｏｃａｔｉｏｎ Ｒｅｓｐｏｎｓｅ”メッセージから経緯度座標値を抽出して地図上に１つの点等で表示する。このために，テスト装置１２０には所定の電子地図データが格納されている。
【００４７】
ここで，テスト装置１２０に格納される電子地図データはＷＧＳ（Ｗｏｒｌｄ  Ｇｅｏｄｅｔｉｃ  Ｓｙｓｔｅｍ）-８４フォーマットで作成されており，特定の地点を中心にして一定の距離単位，例えば５０メートル単位で同心円が表示されたり４方位交差線が表示されることができる。また，ＬＢＳ無線網分析プログラムは同心円または４方位交差線を基準に地図を一定割合で拡大（Ｚｏｏｍ  Ｉｎ），または，縮小（Ｚｏｏｍ  Ｏｕｔ）でき，拡大または縮小した地図を一定時間表示することができる。
【００４８】
ＬＢＳ無線網分析プログラムは位置決定サーバー１６２から受信した“Ｐｒｏｖｉｄｅ Ｌｏｃａｔｉｏｎ Ｒｅｓｐｏｎｓｅ”メッセージに含まれた移動通信端末機１１０の経緯度座標値を抽出して組込されている地図に表示する。
【００４９】
より詳細に説明すると，ＬＢＳ無線網分析プログラムは，使用者から入力される移動通信端末機１１０の実際位置（Ｔｒｕｅ
Ｐｏｓｉｔｉｏｎ）座標値を中心にして一定領域の地図を表示する。ここで，実際位置座標値は本発明の実施の形態に係る方法で移動通信端末機１１０の位置を数回測定した測位値（緯経度座標値）らの平均値で自動設定されることもできる。また，実際位置座標値を中心に半径が相異する１つ以上の同心円を表示する。例えば，同心円の半径は１０ｍ，２０ｍ，３０ｍ，５０ｍ，１００ｍ，１５０ｍなどが可能であるべきである。
【００５０】
次に，ＬＢＳ無線網分析プログラムは，移動通信端末機１１０から伝達受けた“Ｐｒｏｖｉｄｅ Ｌｏｃａｔｉｏｎ Ｒｅｓｐｏｎｓｅ”メッセージから経緯度座標値を抽出して該経緯度座標値を地図上に表示する。また，移動通信端末機１１０の位置を連続に測位する場合，測位値を地図上に順序に表示する。従って，連続に表示される測位値らは図４に示すように，地図の各同心円領域に表示される。
【００５１】
一方，本発明の実施の形態に係るＬＢＳ無線網分析プログラムは，固定基準モード（Ｆｉｘｅｄ Ｒｅｆｅｒｅｎｃｅ Ｍｏｄｅ）と移動基準モード（Ｍｏｖｉｎｇ Ｒｅｆｅｒｅｎｃｅ Ｍｏｄｅ）を支援する。固定基準モードは移動通信端末機１１０を特定の地点に固定させておいて，固定した地点で移動通信端末機１１０での測位値らを分析及び表示するモードであり，移動基準モードは移動通信端末機１１０を移動させる状態で測位値らを分析及び表示するモードである。移動基準モードの場合，リアルタイム測位値らが地図の中央にくるように移動通信端末機１１０の移動によって地図も自動に移動する。
【００５２】
一方，図４の下段グラフにおいて，横軸（ｘ軸）は測位順序であり，縦軸（ｙ軸）は移動通信端末機１１０の実際位置と測位位置との距離誤差である。測位順序別距離誤差はリアルタイムに点により表示され，各距離誤差点らは線により接続されて距離誤差の変化推移が容易に把握される。
【００５３】
また，ＬＢＳ無線網分析プログラムは，図４に示すように，総測位回数（ＦＷＤ ＭＳＧ），半径１０ｍ，２０ｍ，３０ｍ，５０ｍ，７０ｍ，１００ｍ，１５０ｍ以内の各距離誤差を有する測位回数，総測位点らの距離誤差を小さなものから考慮した場合，６７％，９５％の距離誤差範囲に該当する距離誤差統計情報を分析して表示する。図４を見ると，移動通信端末機１１０の実際位置を基準にして３８．５ｍ半径内に測位点の６７％が，１００．７ｍ半径内に測位点の９５％が表示されていることが分かる。
【００５４】
勿論，距離誤差のスケール（Ｓｃａｌｅ）または距離誤差範囲はどのくらいでも変更できるものである。また，ＬＢＳ無線網分析プログラムは特定時点まで測位した測位値らの緯度及び経度別平均値を演算して実際位置からの距離誤差を表す“Ｂｉａｓ Ｎｏｒｔｈ”または“Ｂｉａｓ Ｅａｓｔ”を求めて表示する。
【００５５】
一方，本発明の実施の形態に係るＬＢＳ無線網分析プログラムはコンピュータで読取可能な所定の記録媒体に格納されることができる。ここで，記録媒体とは，フロッピー（登録商標）ディスク，ハードディスク，ＺＩＰディスク，ＪＡＺディスク，ＣＤ（Ｃｏｍｐａｃｔ Ｄｉｓｃ），ＤＶＤ（Ｄｉｇｉｔａｌ Ｖｅｒｓａｔｉｌｅ Ｄｉｓｃ）などを含む。
【００５６】
以上の説明は本発明を例示的に説明したことに過ぎないものであって，本発明が属する技術分野で通常の知識を有する者であれば本発明の本質的な特性から外れない範囲で多様な変形が可能である。従って，本明細書に開示された実施の形態らは本発明を限るためのものでなく，このような実施の形態によって本発明の事象と範囲が限るのではない。本発明の範囲は請求範囲により解析されなければならないし，それと同等な範囲内にある全ての技術は本発明の権利範囲に含まれることと解析されなければならない。
【図面の簡単な説明】
【００５７】
【図１】本発明の好ましい実施形態におけるＡ-ＧＰＳ方式の位置決定性能を評価するための測定システムを簡略に示すブロック図である。
【図２】本発明の実施形態にかかる移動通信端末機と位置決定サーバーとの間で送受信されるＬＢＳメッセージを示す例示画面である。
【図３】本発明の実施形態にかかる移動通信端末機が実際位置した所を中心にして多数のＧＰＳ人工衛星の空間上の配置を２次元的に示す例示画面である。
【図４】本発明の実施形態にかかる位置が固定された移動通信端末機の測定された位置座標値を同心円に表示した例示画面である。
【符号の説明】
【００５８】
１００    測定システム
１１０    移動通信端末機
１２０    テスト装置
１３０    無線基地局
１３２    基地局伝送機
１３４    基地局制御機
１４０    移動交換局
１５０    ＳＴＰ
１６０    ＬＢＳシステム
１６２    位置決定サーバー
１６４    位置センター
１７０    プラットフォーム
【図１】
2006524443.tif 000003
【図２】
2006524443.tif 000004
【図３】
2006524443.tif 000005
【図４】
2006524443.tif 000006
【国際調査報告】
2006524443.tif 000007
2006524443.tif 000008